(57)【要約】【課題】カラスなどの鳥類による被害を防止するための鳥害防止装置であって、ステンレスを用いて不規則に動くようにし、長期間使用しても鳥類が慣れにくく、光を乱反射する効果が少なくなりにくい構成にする。【解決手段】細長帯状のステンレス板Ａの内側面１１を中心軸方向に向けて、径寸法および間隔寸法のそれぞれが等しい常螺旋状に巻回して構成し、軸方向、径方向および周方向のそれぞれに可撓性を有するコイル部１０の両端部のそれぞれにフック部２０を設けて構成する。【選択図】図１
2010252819.tif 000002
【特許請求の範囲】
【請求項１】
細長帯状のステンレス板の一主面を中心軸方向に向けて螺旋状に巻回されて構成され、軸方向、径方向および周方向のそれぞれに可撓性を有する細長コイル状のコイル部と、
該コイル部の軸方向の両端部のそれぞれに設けられた係止部と
を備えて構成されていることを特徴とする鳥害防止装置。
【請求項２】
コイル部は、径寸法および間隔寸法のそれぞれが等しい常螺旋状に巻回されて構成されていることを特徴とする請求項１記載の鳥害防止装置。
【請求項３】
コイル部の中心軸方向を向く一主面である内側面と外径方向に向く外側面とが鏡面仕上げされて形成されたものであることを特徴とする請求項１又は２記載の鳥害防止装置。
【請求項４】
コイル部が撓むようにして取付けられることを特徴とする請求項１乃至３の何れか１記載の鳥害防止装置。
【発明の詳細な説明】
【技術分野】
【０００１】
本発明は、カラスなどの鳥類による被害を防止するための装置であって、風などによって不規則に動いて鳥類を忌避させる鳥害防止装置の技術分野に属するものである。
【背景技術】
【０００２】
一般に、カラスなどの鳥類による被害を防止するための対策としては、被害を受けると想定されるゴミや果実などの対象物全体をネットで覆ったり、その対象物の周囲にＣＤやＤＶＤなどを吊り下げたりしている。
【０００３】
また、この種の対策としては、螺旋状の線材を果樹などに吊り下げたり（例えば、特許文献１参照。）、光を反射する素材で覆われたほぼ環状の円環部を有する螺旋状の鳥害防止器本体を高圧送電鉄塔の鉄骨間に取り付けたり（例えば、特許文献２参照。）、さらには螺旋状の弾性忌避具の曲成部を直立または斜めに倒した状態で、飛来忌避場所の上面に展開して設置するもの（例えば、特許文献３参照。）が提唱されている。
【先行技術文献】
【特許文献】
【０００４】
【特許文献１】特開平１１−２１５９４６号公報（第１頁、図１）
【特許文献２】特開２００７−８９５３３号公報（第１頁、図１−２）
【特許文献３】特開２００４−８１０２１号公報（第１頁、図１）
【発明の概要】
【発明が解決しようとする課題】
【０００５】
ところが、上記の鳥類による被害を防止するための対策では、長期間の使用によって光を反射する効果が少なくなったり、鳥類が慣れてしまうなどして、鳥類を忌避させる効果が弱くなってしまうおそれがあるという問題があり、これに本発明が解決しようとする課題がある。
【課題を解決するための手段】
【０００６】
本発明は、上記の如き実情に鑑み、この課題を解決することを目的として創作されたものであって、請求項１の発明は、細長帯状のステンレス板の一主面を中心軸方向に向けて螺旋状に巻回されて構成され、軸方向、径方向および周方向のそれぞれに可撓性を有する細長コイル状のコイル部と、該コイル部の軸方向の両端部のそれぞれに設けられた係止部とを備えて構成されていることを特徴とする鳥害防止装置である。
【０００７】
請求項２の発明は、コイル部は、径寸法および間隔寸法のそれぞれが等しい常螺旋状に巻回されて構成されていることを特徴とする請求項１記載の鳥害防止装置である。
請求項３の発明は、コイル部の中心軸方向を向く一主面である内側面と外径方向に向く外側面とが鏡面仕上げされて形成されたものであることを特徴とする請求項１又は２記載の鳥害防止装置である。
請求項４の発明は、コイル部が撓むようにして取付けられることを特徴とする請求項１乃至３の何れか１記載の鳥害防止装置である。
【発明の効果】
【０００８】
本発明によれば、鳥害が想定される場所の周囲に係止部を引っ掛けるなどしてコイル部が自由に動くことができるように設置することによって、このコイル部が、風などによって軸方向、径方向および周方向のそれぞれに不規則に動き、照射する光を大きく乱反射させる。よって、長期間使用しても鳥類が慣れにくく、光を乱反射する効果が少なくなりにくいため、効率よく鳥類を忌避できる。
【図面の簡単な説明】
【０００９】
【図１】鳥害防止装置を説明する平面図である。
【図２】鳥害防止装置の一部を示す斜視図である。
【図３】鳥害防止装置を樹木に取り付けた状態を示す概略図である。
【図４】鳥害防止装置をフェンスに取り付けた状態を示す概略図である。
【図５】鳥害防止装置を盆栽の上を通過させた状態を示す概略図である。
【図６】鳥害防止装置をゴミ集積所に取り付けた状態を示す概略図である。
【図７】鳥害防止装置をゴミ集積所の周囲に取り付けた状態を示す概略図である。
【図８】鳥害防止装置をビニールハウス内に取り付けた状態を示す概略図である。
【発明を実施するための最良の形態】
【００１０】
次に、本発明の実施の形態を、図１〜図２の図面に基づいて説明する。
【００１１】
図面において、１はカラス・ヒヨドリ・ハト・スズメ・セキレイ・オナガなどの鳥類による被害を防止するための鳥害防止装置としての防鳥器であって、該防鳥器１は、細長帯状のステンレス板Ａを螺旋状に巻回させて構成された係止部の１例であるコイル部１０と、該コイル部１０の軸方向の両端部のそれぞれに取り付けられたフック部２０とを備えて構成されている。
【００１２】
そして、コイル部１０は、図２に示すように、細長帯状のステンレス板Ａにて弾性を有するコイルスプリング状に形成されたバネ機械であり、風や、風に伴う設置場所の揺れなどによって容易に不規則に動いて鳥類を忌避させるものである。ここで、このステンレス板Ａは、両板面、すなわち内側面１１および外側面１２のそれぞれが鏡面仕上げされた耐食性が高いステンレス鋼によって形成された板状体である。
【００１３】
さらに、コイル部１０は、ステンレス板Ａの一主面である内側面１１を中心軸方向に向けた状態で螺旋状に巻回されてフレキシブルに構成されている。言い換えると、このコイル部１０は、ステンレス板Ａの長手方向に向けて、このステンレス板Ａを同一の曲率で湾曲させていくことによって形成される外形細長円筒状に形成されている。すなわち、このコイル部１０は、中心位置からステンレス板Ａまでの径寸法、およびステンレス板Ａ間の間隔寸法のそれぞれが等しい平行な常螺旋状に形成されており、コイル部１０の軸方向、径方向および周方向（捩れ方向）のそれぞれにおいて可撓性を有するように構成されている。さらに、このコイル部１０は、隣り合うステンレス板Ａの間隔寸法がそれぞれ等しくなるように平行に巻回されている。
【００１４】
具体的に、コイル部１０は、例えば０．１〜０．５ｍｍ（好ましくは０．３ｍｍ）の厚さ寸法を有し、例えば１〜５ｍｍ（好ましくは３ｍｍ）の幅寸法を有するステンレス板Ａを、例えば１〜５ｍｍ（好ましくは３ｍｍ）の間隔（ピッチ）を空けて、例えば１０〜５０ｍｍ（好ましくは２３ｍｍ）の直径寸法を有する常螺旋状に巻回されて構成されており、例えば１〜５ｍ（好ましくは２ｍ）の長さ寸法を有する細長コイル状に形成されて構成されている。
【００１５】
一方、フック部２０は、例えば１．５ｍｍの直径寸法を有する断面円形状のステンレス棒Ｂを、ほぼＪの字状に１８０度湾曲させて形成されており、このフック部２０の軸方向の基端側の基部２１は、さらにＪの字状に１８０度湾曲されて溶接部２２が形成されている。該溶接部２２は、コイル部１０の軸方向の端部に位置するステンレス板Ａの内側面１１間に橋渡しされて溶接されて固定されている。ここで、コイル部１０のステンレス板Ａの端部は、フック部２０の溶接部２２の基端部に巻き付けられて固定されている。
【００１６】
そして、フック部２０は、該フック部２０の先端側のＪの字状に湾曲した掛け部２３の湾曲方向が、コイル部１０の径方向に沿わせた状態で取り付けられている。さらに、この掛け部２３は、コイル部１０の直径寸法に略等しい曲率に湾曲されており、このコイル部１０の軸方向を直線状にした状態で、このコイル部１０を構成するステンレス板Ａの他主面である外側面１２より外側に突出しないように構成されている。すなわち、この掛け部２３は、コイル部１０の直径寸法に略等しい幅寸法を有するように形成されている。さらに、この掛け部２３の先端部は、コイル部１０の軸方向に沿わせた状態で設けられている。
【００１７】
叙述の如く構成された本発明の実施の形態において、防鳥器１は、騒音・糞・食い荒しなどの鳥害が想定される場所の周囲にフック部２０を引っ掛けるなどしてコイル部１０が自由に動くことができるように設置することによって、風や風に伴う設置場所の揺れなどにより、コイル部１０が軸方向、径方向および捩れ方向のそれぞれに大きく不規則に動く。
【００１８】
特に、コイル部１０は、軸方向に長く形成され、軸方向、径方向および捩れ方向のそれぞれにおいて可撓性を有するように構成されているため、風が弱い場合や、設置場所の揺れが小さい場合などであっても、比較的大きく動くとともに、単純な振動などではなく、予測性のない不規則な動きをする。
【００１９】
また、コイル部１０がステンレス板Ａにて形成され、このコイル部１０を構成するステンレス板Ａの内側面１１を中心軸方向に向けて、中心位置からステンレス板Ａまでの径寸法、およびステンレス板Ａ間の間隔寸法のそれぞれが等しい常螺旋状に巻回されているため、このステンレス板Ａの外側面１２がコイル部１０の径方向に向いた状態となり、このコイル部１０へ照射される光が外側面１２によって大きく乱反射される。
因みに、他者が入り込めず、外から見ることができない屋外の実験地においてカラスが飛来して被害を受けていた場所に本発明の防鳥器１を設置したところ、１年以上を経過してもカラスが飛来して寄り付くことがないことが確認され、本発明の有用性が確認されている。
【００２０】
したがって、コイル部１０の予測性のない不規則な動きによって、長期間使用しても鳥類が慣れにくく、また、ステンレス板Ａを用いたことにより、屋外に設置しても錆びにくく、例えばＣＤやＤＶＤを用いた場合に起こり得る乱反射の抑制が少ないため、照射した光を乱反射する効果が少なくなりにくい。よって、長期間に亘って効率よく鳥類を忌避できる。
【００２１】
すなわち、本発明が実施された防鳥器１を鳥類が寄り付く場所に設置することによって、鳥類が寄り付かなくなり、長期間に亘って鳥類を忌避できるため、ブルーベリー・柿・さくらんぼ・イチゴ・スイカ・トウモロコシなどの果実や穀類の屋外栽培場、ハウスや温室、魚の養殖場、ゴミ集積所（ゴミステーション）、糞害を受けているマンションのベランダ、学校、神社仏閣等、鳥類が飛来して被害を受けている場所での鳥類による被害を長期間に亘って連続的に防止できる。
【００２２】
また、本発明が実施された防鳥器１を養鶏場に設置することによって、渡り鳥が養鶏場に紛れ込むことによる鳥インフルエンザの感染の予防（鳥インフルエンザ対策）や、高圧送電鉄塔などの建設物内に巣をつくることによる鳥害対策（カラス対策）などにも効果がある。
【００２３】
尚、本発明は前記実施の形態に限定されないことは勿論であって、コイル部１０の両端部に取り付けられているフック部２０を、ほぼＪの字状に１８０度湾曲させた形状ではなく、係止できるものであればその他のいずれの構成、形状とすることも可能である。さらにまた、例えばＳ字形やＣ字形をしているような両端に係止フックが形成された補助係止部を用い、該補助係止部の一方の係止フックを本発明が実施された防鳥器１の中間部に係止し、他方の係止フックを建物や植物側に係止して取り付けるようにしても良いことは勿論である。
【００２４】
また、コイル部１０を、中心位置からステンレス板Ａまでの径寸法、およびステンレス板Ａ間の間隔寸法のそれぞれが等しい常螺旋状に形成したが、軸方向、径方向および周方向のそれぞれにおいて可撓性を有する構成であれば、コイル部１０の径寸法が軸方向に進むに連れて徐々に大きくなる構成や、コイル部１０の間隔寸法が軸方向に進むに連れて徐々に大きくなる構成、これら径寸法及び間隔寸法が規則的に変化する構成などとすることも可能である。
【実施例】
【００２５】
以下、実施例により本発明をさらに詳細に説明するが、本発明は下記の実施例に限定されるものではない。
【００２６】
＜実施例１＞
本発明が実施された防鳥器１を比較的大きな果樹などの屋外の樹木３０に取り付ける場合には、図３に示すように、この防鳥器１のコイル部１０が風や樹木３０の揺れによって不規則に動くようにする必要性から、この防鳥器１の一方のフック部２０を、鳥害が想定される場所の周囲の樹木３０の枝などに引っ掛けて固定してから、この防鳥器１のコイル部１０を若干撓ませながら樹木３０の枝に絡ませるなどした後に、この防鳥器１の他方のフック部２０を樹木３０の枝などに引っ掛けて固定する。
【００２７】
この結果、風や樹木３０の揺れなどによって防鳥器１のコイル部１０が不規則に動くことにより、この防鳥器１が取り付けられている樹木３０から鳥類を忌避できるため、この樹木３０の鳥害を防止できる。また、防鳥器１のコイル部１０の動きをより大きくしたい場合には、このコイル部１０をより大きく撓ませた状態で、両端のフック部２０を樹木３０に引っ掛けて固定すると良い。さらに、鳥害が想定される樹木３０が大きい場合や、鳥害が想定される場所が広い場合には、複数の防鳥器１を樹木３０に取り付けることによって対応できる。
【００２８】
＜実施例２＞
本発明が実施された防鳥器１をフェンス４０に取り付ける場合には、図４に示すように、この防鳥器１のコイル部１０を撓ませた状態で、両端部のフック部２０をフェンス４０の所定箇所に引っ掛けて固定するとともに、このコイル部１０の中間部をフェンス４０に引っ掛けて固定する。さらに、このフェンス４０にて囲まれた場所に複数の盆栽４１が置かれ、これら盆栽４１の鳥害を防止する場合には、図５に示すように、これら盆栽４１の上をコイル部１０が通過するようにして防鳥器１を設置すると良い。
【００２９】
この結果、風やフェンス４０の揺れなどによって防鳥器１のコイル部１０が不規則に動くことにより、この防鳥器１が取り付けられている場所に置かれた盆栽４１などから鳥類を忌避できるため、これら盆栽４１の鳥害を防止できる。
【００３０】
＜実施例３＞
本発明が実施された防鳥器１をゴミ集積所５０に取り付ける場合には、図６に示すように、この防鳥器１のコイル部１０を若干撓ませた状態で、この防鳥器１の両端のフック部２０を、ゴミ集積所５０のフェンス５１間に引っ掛けて固定する。このとき、このゴミ集積所５０が広い場合には、複数の防鳥器１をフェンス５１間の上下にずらして取り付けることによって、広いゴミ集積所５０でも対応できる。
【００３１】
この結果、風やフェンス５１の揺れなどによって防鳥器１のコイル部１０が不規則に動くことにより、この防鳥器１が取り付けられているゴミ集積所５０から鳥類を忌避できるため、このゴミ集積所５０に出されたゴミ５２の食い荒しなどの鳥害を防止できる。
【００３２】
＜実施例４＞
本発明が実施された防鳥器１をゴミ集積所６０の周囲に植えられた樹木６１を利用して取り付ける場合には、図７に示すように、この防鳥器１の一方のフック部２０を樹木６１の上部に引っ掛けて固定するとともに、ゴミ集積所６０に出されたゴミ（図示せず）を覆うネット６２の後側に設置されている柵６３に、防鳥器１の他方のフック部２０を適宜絡ませて長さを調整して引っ掛けて固定する。このとき、このゴミ集積所６０が広い場合には、複数の防鳥器１を左右にずらして平行に取り付けることによって、広いゴミ集積所６０でも対応できる。
【００３３】
この結果、風や樹木６１の揺れなどによって防鳥器１のコイル部１０が不規則に動くことによって、この防鳥器１が取り付けられている周囲のゴミ集積所６０から鳥類を忌避できるため、このゴミ集積所６０に出されたゴミの食い荒しなどの鳥害を防止できる。
【００３４】
＜実施例５＞
本発明が実施された防鳥器１を、部分的に開放できる大掛かりな温室（ビニールハウス）７０内に取り付ける場合には、図８に示すように、この防鳥器１のコイル部１０を撓ませた状態で、この防鳥器１の両端のフック部２０を、温室７０を構成する枠体７１や、この温室７０内に設置された照明器具７２などに引っ掛けて固定する。このとき、この前記開放したときの温室７０内の鳥害を防止するためには、防鳥器１のコイル部１０が温室７０内の上方を通過するように、複数の防鳥器１を交差させるなどして温室７０内に取り付ける。
【００３５】
この結果、開放した温室７０内に流れる風などによって防鳥器１のコイル部１０が不規則に動くことによって、この防鳥器１が取り付けられている温室７０内で生育する植物７３から鳥類を忌避できるため、温室７０内での鳥害を防止できる。
【符号の説明】
【００３６】
１  防鳥器（鳥害防止装置）
１０  コイル部
１１  内側面
１２  外側面
２０  フック部
２１  基部
２２  溶接部
２３  掛け部
【図１】
2010252819.tif 000003
【図２】
2010252819.tif 000004
【図３】
2010252819.tif 000005
【図４】
2010252819.tif 000006
【図５】
2010252819.tif 000007
【図６】
2010252819.tif 000008
【図７】
2010252819.tif 000009
【図８】
2010252819.tif 000010